(57)【要約】【課題】  本発明は、上記の課題に鑑み、容易に布屑や綿塵を自動的に除去できる乾燥フィルタを提供することを目的とする。【解決手段】  本発明は、布屑や綿塵を容易に除去するため、乾燥フィルタを水平に配置し、送風ファンからの送風を前記乾燥フィルタの下面部から上面部になるように送風入口と送風出口を配置し、下面部に排出経路、上面部に洗浄水シャワー口を設けた。この構成により、送風時に布屑や綿塵が詰まり堆積する方向と逆方向から乾燥フィルタに洗浄水シャワー口から直接洗浄水噴出させて、乾燥フィルタに堆積した布屑や綿塵を除去するとともに、布屑や綿塵が流れ落ちる下面部に排出経路を設けて、乾燥終了後、または乾燥工程以外の工程のとき、自動的に除去して排出経路で排出したことを特徴とする。【選択図】図５
2009142351.tif 000002
【特許請求の範囲】
【請求項１】
筐体の内部に設けられ外槽と、この外槽内に回転自在に配置された回転ドラムと、前記回転ドラム内に温風を送風する送風ファンと、この送風された空気を循環する循環路と、前記循環する空気をフィルタする乾燥フィルタと、前記循環する空気を温めるヒータと、前記循環する空気を除湿する除湿装置とを備えたドラム式洗濯乾燥機において、
前記循環する空気の流れが前記乾燥フィルタの下面部から上面部になるようにし、前記乾燥フィルタの上方に前記乾燥フィルタを洗浄する洗浄水供給口を設けたことを特徴とする洗濯乾燥機。
【請求項２】
請求項１記載の洗濯乾燥機において、前記乾燥フィルタを水平に配置したことを特徴とする洗濯乾燥機。
【請求項３】
請求項１記載の洗濯乾燥機において、乾燥フィルタを斜めに配置したことを特徴とする洗濯乾燥機。
【請求項４】
請求項１記載の洗濯乾燥機において、乾燥フィルタを円筒または円錐形状とし、前記乾燥フィルタを洗浄時に駆動装置で回転させたことを特徴とする洗濯乾燥機。
【請求項５】
請求項１記載の洗濯乾燥機において、前記乾燥フィルタの下方に、前記洗浄によって落とされた布屑や綿塵を排出する排出手段を設けたことを特徴とする洗濯乾燥機。
【請求項６】
筐体本体部の中に回転ドラムが納められた外槽と、回転ドラム内に温風を送風する送風ファン，乾燥フィルタ，ヒータ，除湿装置を備えたドラム式洗濯乾燥機において、
乾燥フィルタケースを構成している乾燥フィルタを水平に配置し、送風ファンからの送風を前記乾燥フィルタの下面部から上面部になるように送風入口と送風出口を配置し、下面部に排出経路、上面部に洗浄水シャワー口を設けたことを特徴とする洗濯乾燥機。
【請求項７】
衣類を収容する回転ドラムと、前記回転ドラム内に温風を送風する送風ファンと、この送風された空気を循環する循環路と、前記循環する空気をフィルタする乾燥フィルタと、前記循環される空気を温めるヒータと、前記循環される空気を除湿する除湿装置とを備えた乾燥機において、
前記送風される空気の流れが前記乾燥フィルタの下面部から上面部になるようにし、前記乾燥フィルタの上方に前記乾燥フィルタを洗浄する洗浄水供給口を設けたことを特徴とする乾燥機。
【発明の詳細な説明】
【技術分野】
【０００１】
本発明は、乾燥フィルタを有する洗濯乾燥機又は乾燥機において、乾燥時に洗濯物から発生する布屑や綿塵などを捕集する乾燥フィルタを自動的に掃除を行い除去する機構を備えた洗濯乾燥機及び乾燥機に関する。
【背景技術】
【０００２】
従来は実開昭６２−４２８９号公報（特許文献１）に示すように乾燥フィルタを斜めに配置して、その下面部に送風をあてて、その上に堆積した布屑や綿塵などを移動させ、ツメによる離脱手段により排出経路を設けて排出しているものが掲載されている。
【０００３】
また、特開２００６−５５３８１号公報（特許文献２）には乾燥工程時に発生する糸屑を捕集する乾燥フィルタがあり、使用者がメンテナンスしやすくするため操作表示部の近くに配置したものが掲載されている。
【０００４】
【特許文献１】実開昭６２−４２８９号公報
【特許文献２】特開２００６−５５３８１号公報
【発明の開示】
【発明が解決しようとする課題】
【０００５】
特許文献１に記載されている乾燥フィルタは上に堆積した布屑や綿塵を乾燥した状態でツメによる離脱手段で表面に堆積した布屑や綿塵を掻き落しているので、乾燥フィルタの細かい目に詰まった布屑や綿塵は押し込まれる方向にあるので掻き落せなく、更に詰まった方向と同じ方向に力が加わるので、乾燥フィルタの網目に詰まり、除去することが困難であった。
【０００６】
また、特許文献２に記載されている従来技術は、利用者が乾燥フィルタのメンテナンスを行うものであり、利用者に乾燥フィルタに溜まった糸屑を除去する作業を頻繁に強いることとなる。
【０００７】
そこで、本発明は、上記の課題に鑑み、容易に布屑や綿塵を自動的に除去できる乾燥フィルタを提供することを目的とする。
【課題を解決するための手段】
【０００８】
本発明は、布屑や綿塵を容易に除去するため、乾燥フィルタを水平に配置し、送風ファンからの送風を前記乾燥フィルタの下面部から上面部になるように送風入口と送風出口を配置し、下面部に排出経路、上面部に洗浄水シャワー口を設けた。この構成により、送風時に布屑や綿塵が詰まり堆積する方向と逆方向から乾燥フィルタに洗浄水シャワー口から直接洗浄水噴出させて、乾燥フィルタに堆積した布屑や綿塵を除去するとともに、布屑や綿塵が流れ落ちる下面部に排出経路を設けて、乾燥終了後、または乾燥工程以外の工程のとき、自動的に除去して排出経路で排出したことを特徴とする。
【発明の効果】
【０００９】
本発明によれば、水平に配置された乾燥フィルタに、送風で詰まる方向と逆方向から洗浄水をかけることにより、乾燥フィルタの網目に詰まっていた細かい布屑や綿塵を洗浄水で柔らかくし、流動性をもたせて洗い流すことにより確実に除去し、排出経路から排出できるので、自動的にしかも確実に布屑や綿塵を除去することができる。
【発明を実施するための最良の形態】
【００１０】
以下、本発明の実施形態に係わる実施例について、図を引用して説明する。
【００１１】
図１は本発明の実施に係るもので、ドラム式洗濯乾燥機の外観の斜視図を示す。以下図をもとに説明する。
【００１２】
外枠筐体は、筐体本体部２１と、前記筐体本体部２１を載置するように支持するベース部１を有する。筐体本体部２１は、ほぼ平坦の両側面部４と、後面部９と、ほぼ平坦で矩形状の前面部２と、前記前面部２と両側面部４との間に位置する湾曲コーナ面部５と、前記前面部２の中央に設けられた開閉自在なる洗濯物の出入扉３を有する。更に、筐体本体部２１は、湾曲上面部６，下側湾曲コーナ面部７，凹状の天井面部８，前面部２の一部である下側前面部２００を有する。天井面部８は凹状になっているので、洗剤等の小物を一時的に置くことができる。湾曲上面部６には洗剤を投入するための洗剤トレー１０、と乾燥時に発生した布屑や綿塵などを捕集するための乾燥フィルタケース１１が両側に配置されている。また、ドラム式洗濯乾燥機を制御するための操作部１２と表示部１３が湾曲上面部６のほぼ中央部付近に配置されている。洗剤トレー１０は手動にて手前側に引出して洗剤及び仕上げ剤などを供給して閉じる構造となっている。操作部１２に設けられた操作キーにより、自動的に開閉する機構を有しているものもある。両側面部４には本体を持ち運びするため下部に下側取っ手１４が複数個設けられ、上側に上側取っ手１５が設けられている。特に上側の取っ手１５は、出入扉３が前面側にあるフロントオープン式のドラム式洗濯乾燥機では重量の有る駆動部が後側にあり、重心が後部になるので後方に位置させている。ベース部１には洗濯水を排水するための排水ホース１６が取付けられており、未使用時には、そのホース１６を固定するためのホース掛け穴１７が設けられている。また、ベース部１の四隅には取付け脚１８が設けられている。この取付け脚１８はゴムで形成され、ドラム式洗濯乾燥機の運転時の振動を減衰させている。前面部２の右上部には出入扉３を開くための押しボタンスイッチ１９が設けられ、下側前面部２００には洗濯やすすぎ時に洗濯物から発生した洗濯物のリントを捕集するためのリントフィルタ２０が設けられている。なお、上記の外枠筐体は筐体本体部２１とベース部１を有するが、ベース部１を設けず、筐体本体部２１に取付け脚１８を設けるようにすることも可能である。この場合は、筐体本体部が外枠筐体になる。
【００１３】
図２は本発明の実施例に係るもので、ドラム式洗濯乾燥機の縦断面図を示す。
【００１４】
全体の外郭部を構成している筐体本体部２１の内側には外槽２２が備えられる。外槽２２の下部には複数個のサスペンション２３が備えられ、外槽２２を下から支持している。また、外槽２２の上部は、前後に配置された二個の引きバネ２４，２５により支持している。サスペンション２３は外槽２２および付属する全重量を支持するものであり、強固な構成にできている。また、サスペンション２３は脱水運転時回転ドラム３０を高速回転して洗濯物の水分を遠心力で除去するときに発生する外槽２２の振動やサスペンションで支持されている外槽２２が持っている固有値との共振による異常振動を防止するための減衰機構などが設けられている。外槽２２の上部から支持している引きバネ２４，２５は外槽２２の前後方向の倒れ防止を兼ねた支持や脱水時の前後，上下及び左右方向の振動を低減するために設けられている。洗濯やすすぎ時には、水道の蛇口に接続された給水ホース２６，給水電磁弁２７に接続された注水ホース２８，洗剤トレー１０を介して、洗濯やすすぎに必要な水が供給される。供給された水は、洗濯時には外槽２２の底部に洗濯水として、またすすぎ時にはすすぎ水として溜められる。洗剤トレー１０には洗濯時に必要な洗剤を投入し、すすぎ時には仕上がりをよくするための柔軟仕上げ剤も投入できる構造となっている。洗濯時には、注水ホース２８から供給された水が洗剤トレー１０の洗剤を溶かしながら外槽２２の上部からフレキシブルホース２９を介して外槽２２の内部へ投入される。外槽２２の内側にある回転ドラム３０には出し入れ扉３を開けて投入された洗濯物３１が内置される。回転ドラム３０の開口部の外周には、脱水時の洗濯物３１によるアンバランス振動を低減するための流体バランサ３２が設けられている。回転ドラム３０の内側には、脱水時に高速回転で洗濯物３１に含まれている水分を脱水するための脱水穴３３が全周に複数個設けられている。また、回転ドラム３０の内側には洗濯時に洗濯物３１を掻き揚げられるようにするために複数個のリフター３４が設けられている。回転ドラム３０は回転ドラム用金属製フランジ３５ａに連結された主軸３６を介して回転ドラム駆動用モータ３７に直結されている。回転ドラム駆動用モータ３７は外槽２２に固定された金属製フランジ３５ｂに取付けられている。本実施例の場合、回転ドラム駆動用モータ３７は磁石埋め込み形のインナーロータでステータは集中巻の巻線を有するＤＣブラシレスモータを使用している。外槽２２の開口部２２ａには弾性体からなるゴム系のベローズ３８が取付けられている。このべローズ３８は出し入れ扉３を構成する耐熱ガラスと接するように構成され、水密化を図っている。洗濯やすすぎが終了して不要になった水や脱水時に洗濯物３１から脱水された水は排水弁３９を開放して排水ホース１６から排水される。
【００１５】
乾燥時は送風ファン４０により送風された風は洗濯物３１が入った回転ドラム３０の中及び外周を通ってくるためリント（布屑）が含まれるので、必ず乾燥フィルタケース１１を通す必要がある。送風された風には乾燥時に発生したリントなどを乾燥フィルタケース１１で捕集し、ヒータ４１に送風し、加熱された温風は外槽上部に設けられた開口部４２より回転ドラム３０の中に送風される。温風は洗濯物３１を通って回転ドラム３０の後部から外槽２２の底部に設けられた除湿装置４３の通風口４４を通って除湿され、送風ファン４０により循環を繰り返して洗濯物３１を乾燥させる。除湿装置４３には水道水または風呂水を供給して高温多湿な空気を凝縮している。除湿に必要な冷却水は除湿用電磁弁４５や風呂水ポンプの回転数を調整して少量（０.３〜０.５リットル／分）の冷却水を供給し除湿している。高温多湿の空気を凝縮した凝縮水は除湿装置４３の下端部よりドレインパイプ４３ａ，排水弁３９，ホース１６を通して機外へ排出される。
【００１６】
乾燥フィルタケース１１には堆積した布屑や綿塵を除去するため、洗浄用電磁弁４６が設けられており、洗浄水路４７を通して乾燥フィルタケース１１に供給される（図５に拡大図で説明）。本実施例では堆積した布屑や綿塵は排出経路４８，送風漏れ防止装置４９を通してホース１６から直接排出される。送風漏れ防止装置４９は乾燥時に送風ファン４０を運転するので圧力が高くなるので大気圧であるホース１６から送風が漏れるのを防止するため設けている。
【００１７】
このため、他の方法としては除湿装置４３の上方に排出経路４８を接続することにより排出経路の短縮化及び送風漏れ防止装置４９の簡略化を図ることができる。除湿装置４３は冷却水を使用しているのでドレインパイプ４３ａを通して排水弁３９を経由して排水を行っている。排水弁３９は閉じると密封が保たれ、空気を遮断することができるので送風漏れ防止装置４９として使用でき、送風ファン４０の運転時は排水弁３９を閉じることにより排出経路４８の送風漏れ防止ができ、排水弁３９と送風漏れ防止装置４９を共用化できるので部品点数を削減できる。
【００１８】
図３は本発明の実施例に係るもので、ドラム洗濯乾燥機の運転工程を示すブロック図である。この運転工程は洗濯物３１に付着した汚れの除去，すすぎによる洗剤分の除去，洗濯物３１に含まれた水分を、回転ドラム３０を高速で回転させて遠心力で脱水する工程及びそれらの水分を排水することなどの一連の工程を自動的に行う一般的な自動洗濯コースをこのブロック図に示す。以下ブロック図をもとに各工程の説明を行う。給水電磁弁２７の操作により図３に示す給水５０が行われる。洗い工程５１は洗濯に必要な水が外槽２２内に供給されるとドラム駆動用モータ３７が回転し、回転ドラム３０の回転が行われる。このときの回転ドラム３０の回転数は毎分４０〜５０回転で、休止をおいて右回転，左回転を数分ずつ行うことにより、洗濯物３１が回転ドラム３０内のリフター３３により掻き揚げられながら叩き洗いにより洗濯される。洗い工程５１が終了する洗濯物３１に付着した汚れが除去され、汚れた洗濯水を洗濯機外に排出する排水工程５２へ移行する。排水が終了した後、洗濯物３１に含まれている洗剤分を脱水する脱水工程５３へ移行する。脱水工程５３では、回転ドラム３０を高速回転して洗濯物３１を遠心力により回転ドラム３０の内壁に設けられた複数個の脱水穴３３より回転ドラムが回転する事により、遠心力により脱水される。このときの回転数は毎分８００〜１２００回転としている。脱水工程５３が終了すると、洗濯物３１に含まれた洗剤分をすすぐ、すすぎ工程５４へ移行する。すすぎ工程５４に入る前に、洗い工程５１と同じように清水を供給する給水工程５０にて必要な清水を外槽２２内に供給される。すすぎ工程５４に必要な清水は本実施例では洗い工程５１と同じく２５〜３０リットル給水される。所定量の清水が給水されると、すすぎ工程５４に自動的に進行し、洗い工程５１と同じように回転ドラム３０が低速回転（毎分４５回転前後）しながら洗濯物３１含まれた洗剤分を除去する。本実施例ではすすぎ工程５４は２回となっているがすすぎ工程５４回数は１〜３回となっているものもある。すすぎ工程５４が終了後、排水が行われ洗濯物３１に含まれる水分を充分に脱水するため最終脱水工程５５に移行する。最終脱水工程５５の脱水時間は一般的に５分以上で、回転ドラム３０を高速回転させ洗濯物３１の水を遠心力で除去するものである。この時の脱水率は６０〜６５％となる。なお、洗濯乾燥機では、熱源としてヒータ４１により温風を槽内に循環させ洗い工程５１，すすぎ工程５４，脱水工程５３，乾燥工程５６まで自動的に進行する。乾燥工程５６では洗濯物３１の水分が脱水により充分に除去された後、ヒータ４１により温風を洗濯物３１に吹き付けながら回転ドラム３０を毎分４０〜５５回転で反転もしくは一方向に回転させて洗濯物３１の水分を乾燥させるものである。乾燥時間を短くするには最終脱水工程５５における回転数を上げて脱水率を上げる必要があり、最高で毎分１７００回転としている。これにより、回転ドラム３０の径の大きさにもよるが脱水率は約７０％となる。乾燥工程の中には終了後に冷却工程５７があり、回転ドラム３０内に冷風を循環させて冷却を行い、所定の温度まで低下すると押しボタンスイッチ１９を押すとロックが解除されて出入扉３を開けて洗濯物３１を取出すことができる。また、乾燥途中で乾燥を止めたい時も同様に回転ドラムの中の温度は８０〜１００℃になっているので冷却工程５７により洗濯物や回転ドラム内を冷却して温度が６０℃以下になってから開くようにしている。回転ドラム３０の中の温度は送風している空気の温度を送風ダクト内に設けた温度センサで検出することにより判断している。
【００１９】
図４は本発明の実施例に係るもので、ドラム式洗濯乾燥機を駆動する回路を示す。ＡＣ１００Ｖの商用電源６０はコンセント６１を介して電源スイッチ６２と並列に配置されたヒューズ６３を通ってフィルタ回路６４に入る。フィルタ回路６４の後方からは各種電気部品及び整流回路６５に直接電源を供給している。整流回路６５からは低圧の直流電源を供給するためのスイッチング電源６６，インバータ回路６７が接続されている。また、この間には電圧検知回路６８及びヒューズ６９が接続されている。インバータ駆動回路７０は駆動用モータ３７に付いている回転位置センサ７１の信号によりインバータ回路６７を制御してドラム駆動用モータ３７を回転させている。ドラム式洗濯乾燥機全体の制御はマイコン７２により行われる。商用電源６０で直接駆動される電気部品としては給水電磁弁２７，洗浄用電磁弁４６，除湿用電磁弁４５及び排水弁３９があり、各々に直列に接続されたリレー接点７３をマイコン７２によりリレー巻線７４に流れる電流を制御して行われる。また、乾燥工程５６で使用する送風ファン４０と洗い工程５１及びすすぎ工程５４に使用する循環ポンプモータ７６は同一インバータ回路７７を切替スイッチ７８で切替えて使用している。このため、回路が共用化できコストが低減できる。ヒータ４１は同じ容量のヒータが並列に接続されており、電源はフィルタ回路６４の前から通電される。この理由は、ヒータ４１は純抵抗なのでフィルタ回路６４を通す必要がないこととヒータ４１は電流が大なのでフィルタ回路６４の前に使用することによりインダクタンスの容量の低減を図っている。
【００２０】
図５は本発明の実施に係るもので、乾燥フィルタケース１１の縦断面図を示す。乾燥工程５６では送風ファン４０から送風された送風は送風ファン４０の出口を通り、乾燥フィルタケース１１の送風入口８０から、水平に配置された乾燥フィルタ８１の下面部８２を通り布屑や綿塵８３が除去され、上面部８４に除去されたきれいな空気が送風出口８６を通ってヒータ４１で加熱され温風となる。乾燥フィルタ８１の上面部８４の上方には乾燥フィルタ８１を洗浄するための洗浄水を出す洗浄水シャワー口８５が設けられている。洗浄水シャワー口８５は洗浄用電磁弁４６を開くことにより洗浄水を供給する。洗浄水シャワー口８５から出た洗浄水は乾燥フィルタ８１の上面部８４から下面部８２を通って、下面部８２に堆積した布屑や綿塵８３を下方に落下させて、排出経路４８を経由して排出する。送風入口８０から出た送風は乾燥フィルタ８１と並行状態で入るので特に強く当る部分がないので布屑や綿塵８３は乾燥フィルタ８１に均等に分布し易いので洗浄水シャワー口８５の洗浄水は洗浄水シャワー口８５から乾燥フィルタ８１の全面をカバーするように噴出させ、布屑や綿塵８３を除去している。除去された布屑や綿塵８３は排出経路４８の上面に設けられた傾斜を流れ排出経路４８を経由して排出される。また、排出経路４８には流れ方向に突起が出ないように配管をしている。これにより、布屑や綿塵８３が引っかかり堆積して排出できなくなることを防止している。
【００２１】
図６は本発明の実施に係るもので、乾燥フィルタ８１の斜視図を示す。網目状に編んだ樹脂製のネット８７は布屑や綿塵８３を通さない網目の大きさで作られている。樹脂製のネット８７は樹脂で支柱８８にモールドされ、乾燥フィルタケース１１の中に送風入口８０からネット８７を通して送風出口８６に送風され、それ以外の部分から送風の漏れないように外周をシール材（図示せず）で囲み備え付けられている。
【００２２】
図７は本発明の実施例に係るもので、乾燥フィルタケース１１の縦断面図を示す。乾燥工程５６のときは、送風ファン４０から送風された送風は送風ファン４０の出口を通り乾燥フィルタケース１１の送風入口８０から入り、乾燥フィルタ８１ａにより布屑や綿塵８３が除去され、送風出口８６を通ってヒータ４１で加熱され温風となる。乾燥フィルタ８１ａは送風入口８０に対して斜めに配置され、且つ下面部８２になる位置に取付けられている。これにより、乾燥フィルタ８１ａの下面部８２側に布屑や綿塵８３が堆積する。乾燥フィルタ８１ａの上面部８４の上方には乾燥フィルタ８１ａに付着した布屑や綿塵８３を洗浄するための洗浄水を出す洗浄水シャワー口８５が設けられている。洗浄水シャワー口８５は洗浄用電磁弁４６を開くことにより洗浄水を供給する。洗浄水シャワー口８５から出た洗浄水は乾燥フィルタ８１ａの上面部８４から下面部８２を通って、下面部８２に堆積した布屑や綿塵８３を排水経路４８に流して排水する。排水経路４８の上面は布屑や綿塵８３が流れ易いように傾斜を設け、流れ方向に突起が出ないように配管をしている。これにより、布屑や綿塵８３が引っかかり排出できなくなることを防止している。送風入口８０の位置は斜めにした乾燥フィルタ８１ａの中央部付近に設けられているので、送風はこの部分が強くなるので乾燥フィルタ８１ａの中央部付近に布屑や綿塵８３が先に堆積していき、その周辺に広がっていく。このため、堆積量が少ないときには中央部付近のみに堆積するので、堆積量が少ないときに洗浄を行うことにより洗浄水シャワー口８５の大きさを小さくすることができる。このため、乾燥工程があるときは毎回洗浄することにより堆積量を少なくすることができるので乾燥フィルタ８１ａを小さくできる。また、乾燥フィルタ８１ａは送風入口８０に対して斜めに配置されているので水平よりフィルタの面積を大きくすることができる。また、洗浄水は乾燥フィルタ８１の上方から下方に向かって洗浄水が上面部８４を流れるので下方に洗浄水が多く流れ、洗浄水シャワー口８５から遠い部分の洗浄がよく行われる。
【００２３】
図８は本発明の実施例に係るもので、乾燥フィルタ８１の斜視図を示す。網目状に編んだ樹脂製のネット８７は布屑や綿塵８３を通さない網目の大きさで作られている。樹脂製のネット８７は樹脂で支柱８８にモールドされ、乾燥フィルタケース１１の中に送風入口８０からネット８７を通して送風出口８６に送風され、それ以外の部分から送風の漏れないように外周をシール材（図示せず）で囲み備え付けられている。
【００２４】
図９は本発明の実施例に係るもので、他の実施例である乾燥フィルタケース１１の縦断面図を示す。乾燥工程５６のときは送風ファン４０から送風された送風は送風ファン４０の出口を通って、送風入口８０から出て、乾燥フィルタ８１ｂで布屑や綿塵８３が内側８９の送風出口８６に近いところに堆積する。送風は内側８９を通過して外側９０を通って送風出口８６から出て行く。乾燥フィルタ８１ｂは端面部９１でケース９２と接触させることによりシールしている。洗浄水が噴出する洗浄水シャワー口８５が下方または側面側に取付けられており、乾燥フィルタ８１ｂの内側８９に堆積した布屑や綿塵８３を外側９０から洗浄水を噴出させて洗浄する。乾燥フィルタ８１ａはギヤ減速付きの同期電動機を使用した駆動装置９３と軸９４で結合され回転自在となっている。端面部９１とケース９２との密着性をよくするため、バネ９５によりスラスト荷重をかけている。駆動装置９３の軸９４はウォータシール９７により外部とシールされている。
【００２５】
図９，図１０に示すように、乾燥フィルタ８１ｂは入口側が広く、奥側が狭い円錐形をしており、排水経路４８側に向かって傾斜して、内側８９に堆積した布屑や綿塵８３が排水経路４８に流れ易くしている。洗浄水シャワー口８５は軸方向に長くして、下方に備えられており、洗浄水を軸９４と直角方向に噴出し、乾燥フィルタ８１ｂの軸方向をカバーしている。乾燥フィルタ８１ｂを連続または断続的に回転させることにより、全周に堆積した布屑や綿塵８３を洗い流すことができる。洗浄水量が充分あるときは連続回転とし少ないときは断続回転とすることにより、洗浄水の当る時間を長くして洗浄効率を上げることができる。また、洗浄水シャワー口８５の形状は軸方向に細長いので、固定した平面の断面積の乾燥フィルタ８１より狭くできるので、同じ水量であれば流速を増加することができるので洗浄がよくできる。また、乾燥フィルタ８１ｂは回転自在なので乾燥時に布屑や綿塵８３が堆積し易い送風入口８０の位置を適時に回転させ位置を変更することにより乾燥フィルタ８１ａを有効に使用できるので、捕集効率を向上させることができる。
【００２６】
図１０は本発明の実施例に係る乾燥フィルタ８１ｂの斜視図を示す。網目状に編んだ樹脂製のネット８７は布屑や綿塵８３を通さない網目の大きさで作られている。駆動装置９３の軸９４とカップリングさせるための軸９８と外形部を樹脂でモールド時に同時に成形している。
【００２７】
図１１は本発明の実施例に係るもので、駆動装置９３の部分拡大図を示す。ケース１００にスペーサ１０１を駆動装置９３の取付け部９６にネジ９９で複数個所固定している。乾燥フィルタ８１ａの軸９８が設けられた凹部にＤカットにした駆動装置９３の軸９４が嵌合して両方の軸を連結している。乾燥フィルタ８１ａの端面部９１にスラスト荷重をかけるため、ケース１００と軸９８の間にバネ９９を入れている。また、駆動装置９３の軸９４とケース１００をシールするためウォータシール９７を使用している。
【００２８】
本発明によれば、送風ファンからの送風を前記乾燥フィルタ８１，８１ａ，８１ｂの下面部から上面部になるように送風入口と送風出口を配置し、下面部に排出経路、上面部に洗浄水シャワー口を設けているので、洗浄水が布屑や綿塵８３が詰まる方向と逆になるので乾燥フィルタ８１，８１ａ，８１ｂの掃除がよくできる。また、従来例に示すように布屑や綿塵８３の除去を乾燥した状態ではなく、布屑や綿塵８３洗浄水で柔らかくして洗い流しているので細かいものまで除去を確実に行うことができる。乾燥フィルタ８１，８１ａ，８１ｂの掃除のタイミングとしては乾燥工程５６が行われていなく排水弁３９が開いている工程の時に行い、乾燥工程があるときは毎回行う。毎回行うことにより一回の布屑や綿塵８３の量が少なくなるので小さい径の排水経路で洗浄水と一緒に流すことができる。
【００２９】
乾燥フィルタ８１ａ，８１ｂは斜めにして、下面部８２に送風入口８０を配置しているので、布屑や綿塵８３が下面部８２側に堆積し、洗浄水は上面部８４の上方から下方に流れるので洗浄水シャワー口８５から噴出する洗浄水が弱くなる下方で水量が増加するので布屑や綿塵８３が全体にわたってよく除去できる。また、布屑や綿塵８３の除去は洗浄水シャワー口８５から洗浄水を噴出させるだけで布屑や綿塵８３を除去，排出を完了することができるので乾燥フィルタ８１，８１ａ，８１ｂを掃除でき、掃除の自動化が容易にできる。
【００３０】
乾燥フィルタ８１ｂを駆動装置９３により回転させることにより、固定位置にある洗浄水シャワー口８５を使用して乾燥フィルタ８１ｂに付着した布屑や綿塵８３を確実に全周にわたって掃除ができる。また、乾燥フィルタとして使用するときには送風入口８０に対して、位置が変更できるので布屑や綿塵８３の捕集効率を向上できる。
【００３１】
布屑や綿塵８３を、排水弁３９を経由して排出経路４８から排水することにより乾燥工程で５６では排水弁３９を閉じて、洗浄時に開くことにより乾燥工程５６のときに排出経路４８から送風がもれることがない。また、漏洩防止手段をとる必要がない。
【００３２】
本発明の乾燥フィルタケース１１は従来と異なり、使用者が掃除をしないでも自動で掃除をすることができるので使用者の取扱いが容易な場所に設置する必要がなく、洗濯乾燥機への設置空間の自由度が著しく向上させることができる。
【図面の簡単な説明】
【００３３】
【図１】本発明の実施例に係るもので、ドラム式洗濯乾燥機の外観斜視図を示す。
【図２】本発明の実施例に係るもので、ドラム式洗濯乾燥機の縦断面図を示す。
【図３】本発明の実施例に係るもので、ドラム式洗濯機の運転工程であるブロック図を示す。
【図４】本発明の実施例に係るもので、ドラム式洗濯乾燥機を駆動する回路を示す。
【図５】本発明の実施例に係るもので、自動洗浄方式の乾燥フィルタの縦断面図を示す。
【図６】本発明の実施例に係るもので、乾燥フィルタ８１の斜視図を示す。
【図７】本発明の実施例に係るもので、他の自動洗浄方式である乾燥フィルタの縦断面図を示す
【図８】本発明の実施例に係るもので、乾燥フィルタ８１ａの斜視図を示す。
【図９】本発明の実施例に係るもので、他の自動洗浄方式である乾燥フィルタの縦断面図を示す。
【図１０】本発明の実施例に係るもので、乾燥フィルタ８１ｂの斜視図を示す。
【図１１】本発明の実施例に係るもので、駆動装置の部分拡大断面図を示す。
【符号の説明】
【００３４】
１１  乾燥フィルタケース
２１  筐体本体部
２２  外槽
３０  回転ドラム
３９  排水弁
４０  送風ファン
４１  ヒータ
４３  除湿装置
４８  排出経路
８０  送風入口
８１，８１ａ  乾燥フィルタ
８２  下面部
８３  布屑や綿塵
８４  上面部
８５  洗浄水シャワー口
８６  送風出口
９３  駆動装置
【図１】
2009142351.tif 000003
【図２】
2009142351.tif 000004
【図３】
2009142351.tif 000005
【図４】
2009142351.tif 000006
【図５】
2009142351.tif 000007
【図６】
2009142351.tif 000008
【図７】
2009142351.tif 000009
【図８】
2009142351.tif 000010
【図９】
2009142351.tif 000011
【図１０】
2009142351.tif 000012
【図１１】
2009142351.tif 000013